(57)【要約】【課題】カバーの裏側に粘着材を介して案内板が貼り付けられていると、リサイクルを目的として、案内板をカバーから剥がして、樹脂材料などのカバーと紙などの案内板とに分解する作業が容易ではないという課題がある。【解決手段】ボス１１５ａ，１１５ｂと、フック１１２，１１３とが、内側壁面１１１に形成された正面カバー１１と、ボス１１５ａ，１１５ｂが挿入した開口部２００ａ，２００ｂと、フック１１２，１１３とそれぞれ対応して横方向Ｄ１に並ぶ切り欠き部２０１，２０２とが形成された案内板２０と、を備え、切り欠き部２０１，２０２は、突出部１１７の横方向Ｄ１における一方の側に配置され、端部２０ａは、厚さ方向Ｄ３における突出部１１７と内側壁面１１１との間に備えられたインクジェットプリンター１を提供する。【選択図】図５
2012196939.tif 000002
【特許請求の範囲】
【請求項１】
カバーと、前記カバーの内側壁面に固定された案内板と、を備える電子機器装置であって、
前記カバーの内側壁面には、前記カバーの厚さ方向に突起する突起部と、前記カバーの横方向に並ぶ複数のフックと、が形成され、
前記案内板は、前記厚さ方向において、前記フックの突出部と前記カバーの内側壁面との間に位置するとともに、前記突起部が挿入された開口部と、前記横方向における前記フックの一方の側の横に位置する切り欠き部と、を有していることを特徴とする電子機器装置。
【請求項２】
請求項１に記載の電子機器装置は、画像を形成する画像形成部を備えた画像形成装置であって、
前記カバーは、回動可能に正面側に備えられ、前記内側壁面には、リブが形成されていることを特徴とする画像形成装置。
【請求項３】
請求項２に記載の画像形成装置であって、
前記突起部は、少なくとも２個形成されていることを特徴とする画像形成装置。
【請求項４】
請求項２または請求項３に記載の画像形成装置であって、
前記厚さ方向における前記突起部の高さは、前記突出部の前記内側壁面と対向する対向面の高さより高いことを特徴とする画像形成装置。
【請求項５】
請求項２から請求項４のいずれか一項に記載の画像形成装置であって、
前記切り欠き部と、前記切り欠き部と対応する前記フックとの複数の組み合わせにおいて、前記横方向における前記切り欠き部と前記フックとの距離は略同じであることを特徴とする画像形成装置。
【請求項６】
請求項２から請求項５のいずれか一項に記載の画像形成装置であって、
前記フックは、前記内側壁面における縦方向の両側に備えられたことを特徴とする画像形成装置。
【請求項７】
請求項６に記載の画像形成装置であって、
前記フックは、前記横方向における同じ位置に備えられたことを特徴とする画像形成装置。
【請求項８】
請求項２から請求項７のいずれか一項に記載の画像形成装置であって、
前記フックは、前記内側壁面における前記横方向の片側に備えられたことを特徴とする画像形成装置。
【請求項９】
突起部と突出部を有するフックとが形成されたカバーの内側壁面に、前記突起部が挿入される開口部と端部に形成された切り欠き部とを有する案内板を固定する電子機器装置の製造方法であって、
前記カバーの横方向において、前記切り欠き部を、前記切り欠き部と対応する前記フックの位置に合わせる位置合わせ工程と、
前記カバーの厚さ方向において、前記案内板の前記端部が、前記フックの前記突出部と前記内側壁面との間の位置になるように、前記案内板を撓ませた状態に変形させる案内板変形工程と、
撓ませた状態の前記案内板を、前記開口部が前記突起部の位置に到達するまで前記内側壁面に沿って前記横方向にスライドさせる案内板スライド工程と、
前記突起部を前記案内板の前記開口部に挿入させる突起部挿入工程と、
を含むことを特徴とする電子機器装置の製造方法。
【発明の詳細な説明】
【技術分野】
【０００１】
本発明は、電子機器装置、電子機器装置の製造方法及び画像形成装置に関する。
【背景技術】
【０００２】
パーソナルコンピューターなどの電子機器装置の使用者は、操作マニュアルを読みながら電子機器装置の操作を行うことがある。例えば、特許文献１では、画像形成装置であるプリンターの筐体の側面に形成された開口部を開閉するカバーとしての開口部材を設け、開口部材の裏側に備えた収納部に操作マニュアルを収納している。
このような方法では、操作マニュアルが厚くなると、収納部が大型化してしまう。また、使用者が操作マニュアルを使用した後に、操作マニュアルを収納部に収納し忘れた場合などには、必要となったときに直ぐに収納部から操作マニュアルを取り出せないことがある。
そこで、操作に必要な最低限の内容を文字や絵として１枚の案内板に描き、粘着材を介してカバーの裏側に、案内板を貼り付けて固定することが行われている。
【先行技術文献】
【特許文献】
【０００３】
【特許文献１】特開２０１０−１５２０３９号公報
【発明の概要】
【発明が解決しようとする課題】
【０００４】
しかしながら、カバーの裏側に粘着材を介して案内板が貼り付けられていると、リサイクルを目的として、案内板をカバーから剥がして、樹脂材料などのカバーと紙などの案内板とに分解する作業が容易ではないという課題がある。
【課題を解決するための手段】
【０００５】
本発明は、上述の課題の少なくとも一部を解決するためになされたものであり、以下の形態または適用例として実現することが可能である。
【０００６】
［適用例１］カバーと、前記カバーの内側壁面に固定された案内板と、を備える電子機器装置であって、前記カバーの内側壁面には、前記カバーの厚さ方向に突起する突起部と、前記カバーの横方向に並ぶ複数のフックと、が形成され、前記案内板は、前記厚さ方向において、前記フックの突出部と前記カバーの内側壁面との間に位置するとともに、前記突起部が挿入された開口部と、前記横方向における前記フックの一方の側の横に位置する切り欠き部と、を有していることを特徴とする電子機器装置。
【０００７】
本適用例によれば、案内板は、カバーの厚さ方向において、フックの突出部とカバーの内側壁面との間に位置するとともに、突起部が挿入された開口部と、横方向におけるフックの一方の側の横に位置する切り欠き部と、を有している。これにより、開口部から突起部を取り外し、案内板を横方向における一方の側に移動させれば、案内板をカバーから容易に取り外すことができる。従って、樹脂材料などのカバーと紙などの案内板とに分解する作業が容易となる。
【０００８】
［適用例２］上記適用例に記載の電子機器装置は、画像を形成する画像形成部を備えた画像形成装置であって、前記カバーは、回動可能に正面側に備えられ、前記内側壁面には、リブが形成されていることを特徴とする画像形成装置。
【０００９】
本適用例によれば、リブが形成されていると粘着材を用いて案内板を固定することができない内側壁面に、案内板を固定することができる。
【００１０】
［適用例３］前記突起部は、少なくとも２個形成されていることを特徴とする上記画像形成装置。
【００１１】
本適用例によれば、案内板が回転することを抑制できる。
【００１２】
［適用例４］前記厚さ方向における前記突起部の高さは、前記突出部の前記内側壁面と対向する対向面の高さより高いことを特徴とする上記画像形成装置。
【００１３】
本適用例によれば、開口部に挿入されていたカバーの突起部が、開口部から外れてしまうことを抑制できる。
【００１４】
［適用例５］前記切り欠き部と、前記切り欠き部と対応する前記フックとの複数の組み合わせにおいて、前記横方向における前記切り欠き部と前記フックとの距離は略同じであることを特徴とする上記画像形成装置。
【００１５】
本適用例によれば、案内板を一定の距離だけ横方向に移動すれば、全部のフックが、フックと対応する切り欠き部の位置に移動するので、案内板をカバーから取り外す際の作業が容易となる。
【００１６】
［適用例６］前記フックは、前記内側壁面における縦方向の両側に備えられたことを特徴とする上記画像形成装置。
【００１７】
本適用例によれば、案内板の縦方向における両端部を固定することができる。
【００１８】
［適用例７］前記フックは、前記横方向における同じ位置に備えられたことを特徴とする上記画像形成装置。
【００１９】
本適用例によれば、切り欠き部を、切り欠き部と対応するフックの位置に合わせる作業が容易となる。
【００２０】
［適用例８］前記フックは、前記内側壁面における前記横方向の片側に備えられたことを特徴とする上記画像形成装置。
【００２１】
本適用例によれば、案内板の横方向における一方の端部を固定することができる。
【００２２】
［適用例９］突起部と突出部を有するフックとが形成されたカバーの内側壁面に、前記突起部が挿入される開口部と端部に形成された切り欠き部とを有する案内板を固定する電子機器装置の製造方法であって、前記カバーの横方向において、前記切り欠き部を、前記切り欠き部と対応する前記フックの位置に合わせる位置合わせ工程と、前記カバーの厚さ方向において、前記案内板の前記端部が、前記フックの前記突出部と前記内側壁面との間の位置になるように、前記案内板を撓ませた状態に変形させる案内板変形工程と、撓ませた状態の前記案内板を、前記開口部が前記突起部の位置に到達するまで前記内側壁面に沿って前記横方向にスライドさせる案内板スライド工程と、前記突起部を前記案内板の前記開口部に挿入させる突起部挿入工程と、を含むことを特徴とする電子機器装置の製造方法。
【００２３】
本適用例によれば、粘着材を用いることなく、案内板をカバーに取り付けることができる。従って、樹脂材料などのカバーと紙などの案内板とに分解する作業が容易となる。
【図面の簡単な説明】
【００２４】
【図１】インクジェットプリンターを正面側から見た外観斜視図。
【図２】正面カバーを開けた状態におけるインクジェットプリンターの外観斜視図。
【図３】（ａ）は、カバーの内側壁面を示す図、（ｂ）は、案内板を示す図。
【図４】（ａ）は、フックをカバーの内側壁面側から見た斜視図、（ｂ）は、カバーの内側壁面に備えられたフックの斜視図。
【図５】カバーの内側壁面に備えられた案内板を示す図。
【図６】切り欠き部と、切り欠き部と対応するフックを示す図。
【図７】位置合わせ工程におけるカバーと案内板とを示す図。
【図８】（ａ）は、位置合わせ工程におけるカバーと案内板とを示す断面図、（ｂ）は、案内板変形工程におけるカバーと案内板とを示す断面図、（ｃ）は、突起部挿入工程におけるカバーと案内板とを示す断面図。
【発明を実施するための形態】
【００２５】
以下、本発明の実施形態について、図面を参照して説明する。
【００２６】
（実施形態）
図１は、本実施形態の画像形成装置の一例であるインクジェットプリンター１（以降は、プリンターという）を、正面側から見た外観斜視図である。プリンター１には、画像形成部３と、画像形成部３の上側に配置されたスキャナー部２とが備えられる。
【００２７】
操作パネル４には、電源のオン・オフ操作や、印刷条件の設定操作などを行うための操作ボタン９が備えられる。また、操作パネル４には、印刷条件の設定内容や操作内容を表示するため、液晶パネルなどによって構成された表示部１０が備えられる。
【００２８】
スキャナー部２には、載置台７に載置された原稿（不図示）をスキャナー部２に給紙する給紙装置８が備えられる。スキャナー部２には、透明な原稿台（不図示）やイメージセンサーなどを搭載した読取部（不図示）などが備えられ、スキャナー部２は、読取部によって、原稿台上に給紙された原稿に描かれた画像を読取り、画像データを取得する。
【００２９】
プリンター１の正面側には、使用者によって引き出し可能な用紙カセット５が備えられ、用紙カセット５には、記録媒体としての用紙（不図示）が収納される。また、プリンター１の背面側には、用紙（不図示）を載置する用紙サポート６を含んで構成される給紙装置が備えられ、用紙サポート６に載置された用紙は、給紙装置によって画像形成部３に給紙される。
【００３０】
プリンター１は、用紙カセット５に収納された用紙または用紙サポート６に載置された用紙を画像形成部３内部に給紙し、用紙に画像を形成し、開口部１２から排紙する。排紙された用紙は、トレイ１３およびトレイ１３から引き出されたスタッカー１４に載置される。
【００３１】
使用者は、取手部１１０を持って、正面カバー１１を矢印の方向に回動させることができる。図２は、正面カバー１１を開けた状態におけるプリンター１の外観斜視図である。図２に示すように、正面カバー１１を開けると、図１の正面カバー１１によって覆われていた領域は、仕切り部材１７によって区分された、収納開口領域１９と、除去開口領域１６とが設けられている。
【００３２】
プリンター１には、インクが収容されたインクカートリッジ（不図示）の下側角部を案内するガイドレール１８を含んで構成され、インクカートリッジを収納する収納部が設けられている。使用者は、正面カバー１１を開けた状態で、収納開口領域１９からインクカートリッジを収納部に収納したり、取り外したりすることができる。
【００３３】
記録媒体支持部１５上を搬送される用紙（不図示）に画像が形成される。用紙が搬送されている途中で、紙ジャムなどによって、用紙が記録媒体支持部１５に残ってしまう場合がある。このようなとき、使用者は、プリンター１の正面側に形成された除去開口領域１６から手を入れて、記録媒体支持部１５に残った用紙を取り除くことができる。
【００３４】
正面カバー１１の内側壁面１１１には、プリンター１の横幅方向である横方向Ｄ１に長い案内板２０が備えられている。案内板２０は、紙や樹脂材料などによって板状に形成されたものである。案内板２０には、インクカートリッジを収納部に収納したり取り外したりする際の説明内容などが記載されている。説明内容を案内板２０に印刷してもよいし、説明内容が印刷されたシートを案内板２０に貼り付けてもよい。
【００３５】
図３（ａ）は、図２の案内板２０を正面カバー１１から取り外し、正面カバー１１の内側壁面１１１を示す図である。内側壁面１１１には、内側壁面１１１の剛性を増すためのリブ１１６が形成されている。
【００３６】
内側壁面１１１には、内側壁面１１１に対して垂直方向となる正面カバー１１の厚さ方向（図面垂直方向）に突起する突起部としてのボス１１５ａ，１１５ｂが形成されている。ボス１１５ａ，１１５ｂは、円柱形状であり、取手部１１０の近傍に、横方向Ｄ１に並んで形成されている。
【００３７】
内側壁面１１１における縦方向Ｄ２における図面上側には、横方向Ｄ１に並ぶフック１１２（フック１１２ａ，１１２ｂ，１１２ｃ，１１２ｄ）が設けられる。
【００３８】
内側壁面１１１における縦方向Ｄ２における図面下側には、横方向Ｄ１に並ぶフック１１３（フック１１３ａ，１１３ｂ，１１３ｃ，１１３ｄ）が備えられる。また、内側壁面１１１の横方向Ｄ１における図面左側の一方の側には、縦方向Ｄ２に並ぶフック１１４（フック１１４ａ，１１４ｂ）が設けられる。
【００３９】
図４（ａ）は、フック１１２，１１３を、正面カバー１１の内側壁面１１１側から見た斜視図である。フック１１２，１１３は、正面カバー１１の厚さ方向Ｄ３に延びる支持部１１８と、支持部１１８の先端から、内側壁面１１１に対向する対向面１１７ａを有し、縦方向Ｄ２に突出する突出部１１７（網目模様で示した部分）、とを含んで構成される。
【００４０】
図３（ｂ）は、案内板２０を示す図である。案内板２０における縦方向Ｄ２における図面上側の端部には、切り欠き部２０１（切り欠き部２０１ａ，２０１ｂ，２０１ｃ，２０１ｄ）が形成されている。また、案内板２０における縦方向Ｄ２における図面下側の端部には、切り欠き部２０２（切り欠き部２０２ａ，２０２ｂ，２０２ｃ，２０２ｄ）が形成されている。
【００４１】
また、案内板２０には、円形状の開口部２００ａ，２００ｂが横方向Ｄ１に並んで形成されている。
【００４２】
図５は、正面カバー１１の内側壁面１１１に備えられた案内板２０を示す図である。案内板２０は、開口部２００ａ，２００ｂにボス１１５ａ，１１５ｂがそれぞれ貫通して備えられる。
【００４３】
切り欠き部２０１ａは、切り欠き部２０１ａと対応するフック１１２ａの横方向Ｄ１における一方の側（図面左側）に並んで形成されている。
【００４４】
同様に、切り欠き部２０１ｂ，２０１ｃ，２０１ｄは、切り欠き部２０１ｂ，２０１ｃ，２０１ｄとそれぞれ対応するフック１１２ｂ，１１２ｃ，１１２ｄの横方向Ｄ１における一方の側（図面左側）に並んで形成されている。
【００４５】
同様に、切り欠き部２０２ａ，２０２ｂ，２０２ｃ，２０２ｄは、切り欠き部２０２ａ，２０２ｂ，２０２ｃ，２０２ｄとそれぞれ対応するフック１１３ａ，１１３ｂ，１１３ｃ，１１３ｄの横方向Ｄ１における一方の側（図面左側）に並んで形成されている。
【００４６】
図６（ａ）は、切り欠き部２０１ｂと、切り欠き部２０１ｂと対応するフック１１２ｂを示す図である。網がけした部分は、厚さ方向Ｄ３から見た切り欠き部２０１ｂの領域を示し、斜線で示した部分は、厚さ方向Ｄ３から見たフック１１２ｂの突出部１１７の外形を示す。
【００４７】
縦方向Ｄ２において、案内板２０の端部２０ａは、突出部１１７の外形と重なる位置にある。横方向Ｄ１において、切り欠き部２０１ｂの領域におけるフック１１２ｂ側の辺Ｋとフック１１２ｂの中心位置Ｓとの距離はＬ１である。
【００４８】
同様に、横方向Ｄ１において、図５の切り欠き部２０１ａ，２０１ｃ，２０１ｄの領域におけるフック１１２ａ，１１２ｃ，１１２ｄ側の辺と、フック１１２ａ，１１２ｃ，１１２ｄの中心位置Ｓとのそれぞれの距離はＬ１である。
【００４９】
同様に、横方向Ｄ１において、図５の切り欠き部２０２ａ，２０２ｂ，２０２ｃ，２０２ｄの領域におけるフック１１３ａ，１１３ｂ，１１３ｃ，１１３ｄ側の辺と、フック１１３ａ，１１３ｂ，１１３ｃ，１１３ｄの中心位置とのそれぞれの距離はＬ１である。
【００５０】
図４（ｂ）は、正面カバー１１の内側壁面１１１に備えられたフック１１２，１１３の斜視図である。図４（ｂ）に示すように、厚さ方向Ｄ３において、案内板２０の端部２０ａは、内側壁面１１１と突出部１１７の対向面１１７ａとの間の位置にある。
【００５１】
また、図５のフック１１４ａ，１１４ｂは、図４（ａ）のフック１１２，１１３の形状と同じであり、横方向Ｄ１に突出する突出部を有する。案内板２０の横方向Ｄ１における一方（図面左側）の端部は、フック１１４の突出部と内側壁面１１１との間の位置にある。
【００５２】
次に、案内板２０を正面カバー１１の内側壁面１１１に取り付ける方法について説明する。図７は、位置合わせ工程における正面カバー１１と案内板２０とを示す図である。位置合わせ工程では、横方向Ｄ１において、切り欠き部２０１，２０２が、切り欠き部２０１，２０２に対応するそれぞれのフック１１２，１１３と重なる位置になるように、案内板２０の位置を正面カバー１１の内側壁面１１１に対して合わせる。
【００５３】
図６（ｂ）は、切り欠き部２０１ｂが、切り欠き部２０１ｂと対応するフック１１２ｂと重なる位置にある状態を示す図である。縦方向Ｄ２において、案内板２０の端部２０ａは、突出部１１７の外形と重なる位置にある。
【００５４】
横方向Ｄ１において、切り欠き部２０１ｂの長さＬ２は、切り欠き部２０１ｂと対応するフック１１２ｂの突出部１１７の長さＬ３より長い。
【００５５】
図８（ａ）は、位置合わせ工程における図７の矢印Ａ−Ａ´断面の正面カバー１１と案内板２０とを示す断面図である。案内板２０は、ボス１１５ａに当接し、案内板２０の端部２０ａは、フック１１２ｂ，１１３ｂの突出部１１７の内側壁面１１１と反対側の位置にある。
【００５６】
位置合わせ工程では、図７に示したように、縦方向Ｄ２において、案内板２０の端部２０ａが突出部１１７と重なる位置で、横方向Ｄ１において、切り欠き部２０１，２０２を、切り欠き部２０１，２０２とそれぞれ対応するフック１１２，１１３の位置に合わせる。
【００５７】
図８（ｂ）は、案内板変形工程における正面カバー１１と案内板２０とを示す断面図である。断面の位置は、図７の矢印Ａ−Ａ´断面の位置である。
【００５８】
案内板変形工程では、案内板２０の端部２０ａの位置が、フック１１２ｂ，１１３ｂにおける突出部１１７の内側壁面１１１側の位置になるように、案内板２０を撓ませて変形させる。
【００５９】
案内板スライド工程では、案内板変形工程で変形させた案内板２０の状態を保持したまま、図７の案内板２０を横方向Ｄ１における矢印Ｄ４の方向に、内側壁面１１１に沿って案内板２０をスライドさせて移動させる。そして、案内板２０の開口部２００ａ，２００ｂが、ボス１１５ａ，１１５ｂの位置に到達すると、案内板２０の移動を停止する。
【００６０】
本実施形態では、案内板２０がフック１１４ａ，１１４ｂに当接した位置で、開口部２００ａ，２００ｂが、ボス１１５ａ，１１５ｂの位置に到達することができる。
【００６１】
図８（ｃ）は、突起部挿入工程における正面カバー１１と案内板２０とを示す断面図である。断面の位置は、図３、図７の矢印Ａ−Ａ´断面の位置である。突起部挿入工程では、ボス１１５ａ，１１５ｂを案内板２０の開口部２００ａ，２００ｂにそれぞれ挿入させる。案内板２０は、リブ１１６に当接する。
【００６２】
このようにすることにより、案内板２０の端部２０ａは、フック１１２ｂ，１１３ｂにおける突出部１１７と内側壁面１１１との間の位置となる。同様に、図５の案内板２０における縦方向Ｄ２の図面上側の端部は、フック１１２ａ，１１２ｃ，１１２ｄと内側壁面１１１との間の位置となり、案内板２０における縦方向Ｄ２の図面下側の端部は、フック１１３ａ，１１３ｃ，１１３ｄと内側壁面１１１との間の位置となる。
【００６３】
図８（ｃ）の厚さ方向Ｄ３において、ボス１１５ａの内側壁面１１１からの高さＬ５は、フック１１２ｂの突出部１１７における対向面１１７ａの内側壁面１１１からの高さＬ４より高い。そのため、ボス１１５ａが、案内板２０の開口部２００ａから外れてしまうことを抑制できる。
【００６４】
以上、本実施形態で説明したプリンター１は、正面カバー１１と、正面カバー１１の内側壁面１１１に固定された案内板２０と、を備え、正面カバー１１の内側壁面１１１には、正面カバー１１の厚さ方向Ｄ３に突起する突起部としてのボス１１５ａ，１１５ｂと、正面カバー１１の横方向Ｄ１に並ぶフック１１２，１１３と、が形成され、案内板２０は、厚さ方向Ｄ３において、フック１１２，１１３の突出部１１７と正面カバー１１の内側壁面１１１との間に位置するとともに、ボス１１５ａ，１１５ｂが挿入された開口部２００ａ，２００ｂと、横方向Ｄ１におけるフック１１２，１１３の一方の側の横に位置する切り欠き部２０１，２０２と、を有している。
【００６５】
この構成によれば、開口部２００ａ，２００ｂからボス１１５ａ，１１５ｂを取り外し、案内板２０を横方向Ｄ１における一方の側に移動させれば、案内板２０を正面カバー１１から容易に取り外すことができる。従って、樹脂材料などの正面カバー１１と紙などの案内板２０とに分解する作業が容易となる。
【００６６】
また、カバーとしての正面カバー１１は、回動可能にプリンター１の正面側に備えられている。これにより、使用者は、容易に案内板２０に書かれた内容を読んだり、見たりすることができる。
【００６７】
また、正面カバー１１の内側壁面１１１にリブ１１６が形成されていることにより、正面カバー１１の剛性を高くすることができる。また、内側壁面１１１にリブ１１６が形成されていたり、内側壁面１１１が曲面であったり、内側壁面１１１に凹凸が形成されていたりしても、本実施形態の構成によれば、案内板２０を正面カバー１１の内側に固定することができる。
【００６８】
また、ボス１１５ａ，１１５ｂは、２個形成されている。これにより、案内板２０が回転することを抑制できる。
【００６９】
また、厚さ方向Ｄ３におけるボス１１５ａ，１１５ｂの高さＬ５は、突出部１１７の内側壁面１１１と対向する対向面１１７ａの高さＬ４より高い。
【００７０】
これにより、案内板２０の開口部２００ａ，２００ｂに挿入されていた正面カバー１１のボス１１５ａ，１１５ｂが、案内板２０の開口部２００ａ，２００ｂから外れてしまうことを抑制できる。
【００７１】
また、図６（ａ）を用いて説明したように、切り欠き部２０１，２０２と、切り欠き部２０１，２０２と対応するフック１１２，１１３との複数の組み合わせにおいて、切り欠き部２０１，２０２とフック１１２，１１３との横方向Ｄ１における距離Ｌ１は略同じ距離である。
【００７２】
これにより、案内板２０を一定の距離だけ横方向Ｄ１に移動すれば、全部のフック１１２，１１３が、フック１１２，１１３と対応する切り欠き部２０１，２０２の位置に移動するので、案内板２０を正面カバー１１から取り外す際の作業が容易となる。
【００７３】
また、フック１１２，１１３は、内側壁面１１１における縦方向Ｄ２の両側に備えられる。これにより、案内板２０の縦方向Ｄ２における両端部を固定することができる。
【００７４】
また、フック１１２，１１３は、横方向Ｄ１における同じ位置に備えられる。これにより、切り欠き部２０１，２０２を、切り欠き部２０１，２０２と対応するフック１１２，１１３の位置に合わせる作業が容易となる。
【００７５】
また、先端が横方向Ｄ１に突出する突出部を有するフック１１４ａ，１１４ｂが、内側壁面１１１に備えられ、案内板２０の横方向Ｄ１における一方の端部は、突出部と内側壁面１１１の間に備えられる。これにより、案内板２０の横方向Ｄ１における一方の端部を固定することができる。
【００７６】
また、正面カバー１１に、案内板２０を取り付けるプリンター１の製造方法は、横方向Ｄ１において、切り欠き部２０１，２０２を、切り欠き部２０１，２０２と対応するフック１１２，１１３の位置に合わせる位置合わせ工程と、厚さ方向Ｄ３において、案内板２０の端部２０ａが、フック１１２，１１３の突出部１１７と内側壁面１１１との間の位置になるように、案内板２０を撓ませた状態に変形させる案内板変形工程と、撓ませた状態の案内板２０を、開口部２００ａ，２００ｂがボス１１５ａ，１１５ｂの位置に到達するまで内側壁面１１１に沿って横方向Ｄ１にスライドさせる案内板スライド工程と、ボス１１５ａ，１１５ｂを案内板２０の開口部２００ａ，２００ｂに挿入させる突起部挿入工程と、を含む。
【００７７】
この構成によれば、粘着材を用いることなく、案内板２０を正面カバー１１に取り付けることができる。従って、樹脂材料などの正面カバー１１と紙などの案内板２０とに分解する作業が容易となる。
【００７８】
本実施形態では、画像形成装置としてのプリンター１について説明したが、パーソナルコンピューターなどの情報処理装置、コピーなどの画像複写装置、ＨＤＤレコーダーなどの画像記録装置、製品を組み立てる組み立て装置、製品を検査する検査装置などの電子機器装置にも適用できる。
【符号の説明】
【００７９】
１…インクジェットプリンター、１１…正面カバー、２０…案内板、２０ａ…端部、１１１…内側壁面、１１２，１１２ａ，１１２ｂ，１１２ｃ，１１２ｄ，１１３，１１３ａ，１１３ｂ，１１３ｃ，１１３ｄ，１１４，１１４ａ，１１４ｂ…フック、１１５ａ，１１５ｂ…ボス、１１６…リブ、１１７…突出部、１１７ａ…対向面、２００ａ，２００ｂ…開口部、２０１，２０１ａ，２０１ｂ，２０１ｃ，２０１ｄ，２０２，２０２ａ，２０２ｂ，２０２ｃ，２０２ｄ…切り欠き部、Ｄ１…横方向、Ｄ２…縦方向、Ｄ３…厚さ方向、Ｌ１…距離、Ｌ２，Ｌ３…長さ、Ｌ４，Ｌ５…高さ。
【図１】
2012196939.tif 000003
【図２】
2012196939.tif 000004
【図３】
2012196939.tif 000005
【図４】
2012196939.tif 000006
【図５】
2012196939.tif 000007
【図６】
2012196939.tif 000008
【図７】
2012196939.tif 000009
【図８】
2012196939.tif 000010